(57)【要約】【課題】  ＲＳＳサービスを利用したホームネットワーク機器の制御方法及びその装置を提供する。【解決手段】  ＲＳＳサーバに周期的に接続して少なくとも一つのホームネットワーク機器に対する制御命令を読出し、その読み出された制御命令に基づいて、少なくとも一つのホームネットワーク機器を制御するホームネットワーク機器の制御方法である。【選択図】      図２
2008305399.tif 000002
【特許請求の範囲】
【請求項１】
ＲＳＳサービスを利用して少なくとも一つのホームネットワーク機器を制御する方法において、
ＲＳＳサーバに周期的に接続して前記少なくとも一つのホームネットワーク機器に対する制御命令を読み出すステップと、
前記読み出された制御命令に基づいて、前記少なくとも一つのホームネットワーク機器を制御するステップと、を含むことを特徴とする制御方法。
【請求項２】
前記制御するステップは、
前記制御命令を分析するステップと、
前記分析に基づいて、前記制御を行うステップと、を含むことを特徴とする請求項１に記載の制御方法。
【請求項３】
前記制御命令を分析するステップは、
前記制御命令によって制御される少なくとも一つのホームネットワーク機器を特定し、前記特定された少なくとも一つのホームネットワーク機器が行う動作を分析することを特徴とする請求項２に記載の制御方法。
【請求項４】
前記制御命令を分析するステップは、前記制御命令が前記ホームネットワーク機器自身が行う制御命令であるか否かを分析することを特徴とする請求項２に記載の制御方法。
【請求項５】
前記制御命令によって前記少なくとも一つのホームネットワーク機器が制御されたことを表すメッセージを所定の方法でユーザに通知するステップをさらに含むことを特徴とする請求項１に記載の制御方法。
【請求項６】
前記通知するステップは、
前記メッセージを既定のインターネットアドレスまたはｅメールアドレスに伝送することを特徴とする請求項１に記載の制御方法。
【請求項７】
前記通知するステップは、
前記メッセージを既定の端末機に伝送することを特徴とする請求項１に記載の制御方法。
【請求項８】
前記制御命令は、
前記少なくとも一つのホームネットワーク機器に対する制御権限を有する正当なユーザの端末機を利用して前記ＲＳＳサーバに登録されることを特徴とする請求項１に記載の制御方法。
【請求項９】
前記制御命令が前記少なくとも一つのホームネットワーク機器の制御権限を有する正当なユーザによって登録された命令であるか否かを認証するステップをさらに含み、
前記制御するステップは、前記認証結果、前記制御命令が前記正当なユーザによって登録されたものと判断される場合に限って、前記制御を行うことを特徴とする請求項１に記載の制御方法。
【請求項１０】
前記制御命令は、前記ＲＳＳサーバに前記制御命令を登録した者の電子署名をさらに含み、
前記認証するステップは、前記電子署名を利用して前記認証を行うことを特徴とする請求項９に記載の制御方法。
【請求項１１】
前記制御命令は、
ＸＭＬ形式で構成されることを特徴とする請求項１に記載の制御方法。
【請求項１２】
ＲＳＳサービスを利用して少なくとも一つのホームネットワーク機器を制御する装置において、
ＲＳＳサーバに周期的に接続して、前記少なくとも一つのホームネットワーク機器に対する制御命令を読み出す命令読出部と、
前記読み出された制御命令に基づいて、前記少なくとも一つのホームネットワーク機器を制御する制御部と、を備えることを特徴とする制御装置。
【請求項１３】
前記制御部は、
前記制御命令を分析し、前記分析に基づいて前記制御を行うことを特徴とする請求項１２に記載の制御装置。
【請求項１４】
前記制御部は、
前記制御命令によって制御される少なくとも一つのホームネットワーク機器を特定し、前記特定された少なくとも一つのホームネットワーク機器が行う動作を分析した後、前記分析に基づいて前記制御を行うことを特徴とする請求項１３に記載の制御装置。
【請求項１５】
前記制御部は、
前記制御命令が前記ホームネットワーク機器自身が行う制御命令であるか否かを分析し、前記分析に基づいて前記制御を選択的に行うことを特徴とする請求項１３に記載の制御装置。
【請求項１６】
前記制御命令によって前記少なくとも一つのホームネットワーク機器が制御されたことを表すメッセージを所定の方法でユーザに通知する通知部をさらに備えることを特徴とする請求項１２に記載の制御装置。
【請求項１７】
前記通知部は、
前記メッセージを既定のインターネットアドレスまたはｅメールアドレスに伝送することを特徴とする請求項１６に記載の制御装置。
【請求項１８】
前記通知部は、
前記メッセージを既定の端末機に伝送することを特徴とする請求項１６に記載の制御装置。
【請求項１９】
前記制御命令は、
前記少なくとも一つのホームネットワーク機器に対する制御権限を有する正当なユーザの端末機を利用して、前記ＲＳＳサーバに登録されることを特徴とする請求項１２に記載の制御装置。
【請求項２０】
前記制御命令が前記少なくとも一つのホームネットワーク機器の制御権限を有する正当なユーザによって登録された命令であるか否かを認証する認証部をさらに備え、
前記制御部は、前記認証部による認証結果、前記制御命令が前記正当なユーザによって登録されたものと判断される場合に限って、前記制御を行うことを特徴とする請求項１２に記載の制御装置。
【請求項２１】
前記制御命令は、前記ＲＳＳサーバに前記制御命令を登録した者の電子署名をさらに含み、
前記認証部は、前記電子署名を利用して前記認証を行うことを特徴とする請求項２０に記載の制御装置。
【請求項２２】
前記制御命令は、
ＸＭＬ形式で構成されることを特徴とする請求項１２に記載の制御装置。
【請求項２３】
請求項１に記載の方法を実行させるためのプログラムが記録されたコンピュータで読み取り可能な記録媒体。
【発明の詳細な説明】
【技術分野】
【０００１】
本発明は、ホームネットワーク機器の制御方法及びその装置に係り、特に、ＲＳＳ（Ｒｉｃｈ  Ｓｉｔｅ  Ｓｕｍｍａｒｙ）サービスを利用して、少なくとも一つのホームネットワーク機器を制御する方法及びその装置に関する。
【背景技術】
【０００２】
一般的に、ホームネットワークとは、家庭で使われる全ての電気、電子製品を一つの有無線システムに連結して、時間及び場所に拘らずに制御できる物理的なネットワーク技術であり、単純な家庭機器の遠隔制御機能だけでなく、家電製品同士のデータ送受信を通じた情報の交流、モニタリング、保安などの機能を自動的に制御することを称す。
【０００３】
図１は、従来のホームネットワーク機器の制御方法の一実施形態を説明するために示す図である。図１を参照するに、ユーザの端末機１１０、遠隔制御サーバ１２０及びホームネットワーク１３０は、インターネットに連結されている。
【０００４】
まず、ユーザが携帯電話、ＰＣ、ＰＤＡなどの端末機１１０を利用して遠隔制御サーバ１２０に接続した後にログインすれば、遠隔制御サーバ１２０は、ログイン情報を分析してユーザにホームネットワーク機器に対する制御権限の有無を判断する。
【０００５】
遠隔制御サーバ１２０の判断結果、ユーザがホームネットワーク機器に対する制御権限があると判断される場合に限って、ユーザは、端末機１１０を通じてホームネットワーク１３０に含まれたホームネットワーク機器を制御するための制御命令を遠隔制御サーバ１２０に伝送しうる。
【０００６】
遠隔制御サーバ１２０は、端末機１１０から制御命令を受信すれば、受信された制御命令をホームネットワーク１３０に伝送する。
【０００７】
ホームネットワーク１３０は、遠隔制御サーバ１３０から伝送された制御命令によってホームネットワークに含まれたホームネットワーク機器を制御する。
【０００８】
このとき、端末機１１０、遠隔制御サーバ１２０及びホームネットワーク１３０から制御命令を送受信する時には、所定のプロトコルを定義して、そのプロトコルによって制御命令を送受信する。このように、従来の技術は、ホームネットワーク制御のための制御命令を伝送する時に必ず別途のプロトコルを定義し、そのプロトコルによって制御命令を伝送せねばならないという問題点があった。
【特許文献１】韓国特許公開第１０−２００７−０００８４７８号公報
【発明の開示】
【発明が解決しようとする課題】
【０００９】
本発明の目的は、別途のプロトコルを定義せず、遠隔でホームネットワーク機器を制御するためのホームネットワーク機器の制御方法及びその装置を提供することである。
【課題を解決するための手段】
【００１０】
前記目的を達成するための本発明によるＲＳＳサービスを利用して少なくとも一つのホームネットワーク機器を制御する方法は、ＲＳＳサーバに周期的に接続して前記少なくとも一つのホームネットワーク機器に対する制御命令を読み出すステップと、前記読み出された制御命令に基づいて、前記少なくとも一つのホームネットワーク機器を制御するステップと、を含む。
【００１１】
望ましくは、前記制御するステップは、前記制御命令を分析するステップと、前記分析に基づいて、前記制御を行うステップと、を含む。
【００１２】
望ましくは、前記制御命令を分析するステップは、前記制御命令によって制御される少なくとも一つのホームネットワーク機器を特定し、前記特定された少なくとも一つのホームネットワーク機器が行う動作を分析することを特徴とする。
【００１３】
望ましくは、前記制御命令を分析するステップは、前記制御命令が前記ホームネットワーク機器自身が行う制御命令であるか否かを分析することを特徴とする。
【００１４】
望ましくは、本発明によるＲＳＳサービスを利用して少なくとも一つのホームネットワーク機器を制御する方法は、前記制御命令によって前記少なくとも一つのホームネットワーク機器が制御されたことを表すメッセージを所定の方法でユーザに通知するステップをさらに含む。
【００１５】
望ましくは、前記通知するステップは、前記メッセージを既定のインターネットアドレスまたはｅメールアドレスに伝送することを特徴とする。
【００１６】
望ましくは、前記通知するステップは、前記メッセージを既定の端末機に伝送することを特徴とする。
【００１７】
望ましくは、前記制御命令は、前記少なくとも一つのホームネットワーク機器に対する制御権限を有する正当なユーザの端末機を利用して、前記ＲＳＳサーバに登録されることを特徴とする。
【００１８】
望ましくは、本発明によるＲＳＳサービスを利用して少なくとも一つのホームネットワーク機器を制御する方法は、前記制御命令が前記少なくとも一つのホームネットワーク機器の制御権限を有する正当なユーザによって登録された命令であるか否かを認証するステップをさらに含み、前記制御するステップは、前記認証結果、前記制御命令が前記正当なユーザによって登録されたものと判断される場合に限って前記制御を行うことを特徴とする。
【００１９】
望ましくは、前記制御命令は、前記ＲＳＳサーバに前記制御命令を登録した者の電子署名をさらに含み、前記認証するステップは、前記電子署名を利用して前記認証を行うことを特徴とする。
【００２０】
望ましくは、前記制御命令は、ＸＭＬ（Ｅｘｔｅｎｓｉｂｌｅ  Ｍａｒｋｕｐ  Ｌａｎｇｕａｇｅ）形式で構成されることを特徴とする。また、前記目的を達成するための本発明によるＲＳＳサービスを利用して少なくとも一つのホームネットワーク機器を制御する装置は、ＲＳＳサーバに周期的に接続して前記少なくとも一つのホームネットワーク機器に対する制御命令を読み出す命令読出部と、前記読み出された制御命令に基づいて、前記少なくとも一つのホームネットワーク機器を制御する制御部と、を備える。
【００２１】
望ましくは、本発明によるＲＳＳサービスを利用して少なくとも一つのホームネットワーク機器を制御する装置は、前記制御命令によって前記少なくとも一つのホームネットワーク機器が制御されたことを表すメッセージを所定の方法でユーザに通知する通知部をさらに備える。
【００２２】
望ましくは、本発明によるＲＳＳサービスを利用して少なくとも一つのホームネットワーク機器を制御する装置は、前記制御命令が前記少なくとも一つのホームネットワーク機器の制御権限を有する正当なユーザによって登録された命令であるか否かを認証する認証部をさらに備え、前記制御部は、前記認証部による認証結果、前記制御命令が前記正当なユーザによって登録されたものと判断される場合に限って前記制御を行うことを特徴とする。
【００２３】
また、前記目的を達成するために、本発明は、ＲＳＳサーバに周期的に接続して前記少なくとも一つのホームネットワーク機器に対する制御命令を読み出すステップと、前記読み出された制御命令に基づいて、前記少なくとも一つのホームネットワーク機器を制御するステップと、を含むＲＳＳサービスを利用して少なくとも一つのホームネットワーク機器を制御する方法を実行させるためのプログラムが記録されたコンピュータで読み取り可能な記録媒体を提供する。
【発明の効果】
【００２４】
本発明は、ＲＳＳサーバに周期的に接続して少なくとも一つのホームネットワーク機器に対する制御命令を読み出し、その読み出された制御命令に基づいて、少なくとも一つのホームネットワーク機器を制御することによって、別途のプロトコルを定義せずとも遠隔でホームネットワーク機器を制御しうる。
【発明を実施するための最良の形態】
【００２５】
以下では、添付された図面を参照して本発明の望ましい実施形態について説明する。
【００２６】
図２は、本発明によるホームネットワーク機器の制御装置の一実施形態を示す図である。図２を参照するに、本発明によるホームネットワーク機器の制御装置は、命令読出部２１０及び制御部２２０を備える。
【００２７】
命令読出部２１０は、ＲＳＳ（Ｒｉｃｈ  Ｓｉｔｅ  Ｓｕｍｍａｒｙ）サーバに周期的に接続して、少なくとも一つのホームネットワーク機器に対する制御命令を読み出す。
【００２８】
ここで、ＲＳＳとは、ＲＤＦ  Ｓｉｔｅ  Ｓｕｍｍａｒｙ、Ｒｉｃｈ  Ｓｉｔｅ  Ｓｕｍｍａｒｙなどの略称であって、ニュースやブログのように、コンテンツアップデートが頻繁に発生するウェブサイトで、アップデートされた情報を自動的に容易にユーザに提供するためのサービスを称す。本発明は、このように、既存のＲＳＳサービスを利用してホームネットワーク機器に対する制御命令を読み出すので、既存のＲＳＳサービスで使用するプロトコルを利用すればよいため、制御命令の伝送のために別途のプロトコルを定義せずとも、ホームネットワーク機器を制御しうる効果がある。
【００２９】
このとき、制御命令は、ＴＶに対する予約録画命令、ＰＣに対するＶＯＤ（Ｖｉｄｅｏ  Ｏｎ  Ｄｅｍａｎｄ）のダウンロード命令、電話機に対する不在中メッセージ確認命令など、多様な命令が含まれ、このような制御命令は、少なくとも一つのホームネットワーク機器に対する制御権限を有する正当なユーザの端末機を利用してＲＳＳサーバに登録される。すなわち、ＲＳＳサーバが制御命令を登録するとき、ＲＳＳサーバは、その制御命令を登録しようとするユーザが正当なユーザであるか否かを判断し、正当なユーザと判断された場合に限って制御命令を登録する。例えば、ＲＳＳサーバは、ユーザが端末機を利用してＲＳＳサーバに接続してログインすれば、そのログイン情報によって正当なユーザであるか否かを判断することもできる。
【００３０】
制御部２２０は、命令読出部２１０によって読み出された制御命令に基づいて、少なくとも一つのホームネットワーク機器を制御する。
【００３１】
このとき、制御部２２０は、読み出された制御命令を分析し、その分析に基づいてホームネットワーク機器に対する制御を行う。
【００３２】
図３は、本発明によって制御命令の一実施形態を示す図である。図３には、ＸＭＬ形式で構成されたＲＳＳ制御命令が示されているので、制御部２２０は、このようなＲＳＳ制御命令を分析し、その分析によってホームネットワーク機器に対する制御を行える。
【００３３】
まず、３１０に羅列された命令について順次に説明すれば、３１０の命令は、命令ＩＤが１であり、命令の種類は、録画となる。また、命令を登録した者は、ｐａｒｋであり、制御命令を行う装置は、ＩＰＴＶとなり、命令を登録した時間は、２００７年６月１０日火曜日となる。
【００３４】
３１０の最後の行は、ユーザ、すなわち、ｐａｒｋの秘密キーで前記３１０に含まれた全ての命令を暗号化したデータを利用して生成された電子署名である。このように、電子署名が制御命令に含まれた理由は、制御命令を登録したｐａｒｋがホームネットワーク機器の制御権限を有する正当なユーザであるか否かを認証するためである。
【００３５】
例えば、電子署名に含まれた暗号化されたデータを復号化した結果が、３１０に含まれた命令と一致すれば、３１０の命令は、正当なユーザによって登録されたものと判断される。
【００３６】
このように、本発明による制御部２２０は、制御命令が正当なユーザによって登録されたものと判断される場合に限って、制御命令によってホームネットワーク機器を制御する。但し、このような認証方法は、前記電子署名を利用する方法に限定されず、制御命令が正当なユーザによって登録されたか否かを判断できる多様な認証方法が利用される。
【００３７】
望ましくは、本発明によるホームネットワーク機器の制御装置は、制御命令が正当なユーザによって登録された命令であるか否かを認証する認証部（図示せず）をさらに備えうる。
【００３８】
一方、具現例によっては、前記制御命令によってＩＰＴＶが所定のコンテンツに対する録画を開始または終了すれば、ＩＰＴＶによる録画が開始または終了したことを表すメッセージをユーザに伝送するプロセスがさらに追加されることもある。このようなメッセージは、既定のインターネットアドレスまたはｅメールアドレスに伝送されることもあり、既定の端末機に伝送されることもある。
【００３９】
望ましくは、本発明によるホームネットワーク機器の制御装置は、制御命令によって少なくとも一つのホームネットワーク機器が制御されたことを表すメッセージを所定の方法でユーザに通知する通知部（図示せず）をさらに備えうる。
【００４０】
次いで、３２０に羅列された命令について順次に説明すれば、３２０の命令は、命令ＩＤが２であり、命令の種類は、通知となる。また、命令を登録した者は、ｐａｒｋであり、制御命令を行う装置は、電話機となり、命令を登録した時間は、２００７年６月１０日火曜日となる。
【００４１】
３２０では、３１０と異なり、選択情報があるが、３２０での選択情報は、まず電話機に記録された留守電話のうち、９時から２２時までの留守電話についての情報をｓｏｍｅｏｎｅ＠ｓａｍｓｕｎｇ.ｃｏｍにｅメールで伝送せよということを表す。このように、選択情報は、ホームネットワーク機器が行う動作についてのさらに具体的な情報を含む。
【００４２】
３２０の最後の行に記載された電子署名は、３１０と同じ機能を行うので、説明を省略する。
【００４３】
図４は、本発明によるホームネットワーク機器の制御方法の一実施形態を説明するために示す図である。図４を参照するに、ホームネットワーク４３０は、本発明によるホームネットワーク機器の制御装置４３２に、ＴＶ  ４３４、電話機４３６及びオーディオ４３８のようなホームネットワーク機器が連結されている形態で構成されている。
【００４４】
図４を参照して、本発明によるホームネットワーク機器の制御方法を説明すれば、まず、ユーザが端末機４１０を通じてＲＳＳサーバ４２０に制御命令を登録する。次いで、本発明によるホームネットワーク機器の制御装置４３２は、周期的にＲＳＳサーバ４２０に接続して制御命令を読み出す。
【００４５】
最後に、本発明によるホームネットワーク機器の制御装置４３２は、読み出された制御命令を分析し、その制御命令によって制御される少なくとも一つのホームネットワーク機器を特定し、特定された少なくとも一つのホームネットワーク機器が行う動作を決定する。
【００４６】
例えば、制御命令が、ＴＶ  ４３４が所定のコンテンツを録画せよというものならば、本発明によるホームネットワーク機器の制御装置４３２は、まずその制御命令によって制御されるホームネットワーク機器がＴＶ  ４３４であり、そのＴＶ  ４３４が行わねばならない動作がコンテンツに録画ということを特定した後、それにより、ＴＶにコンテンツを録画することを命令する。
【００４７】
図５は、本発明によるホームネットワーク機器の制御方法の第２実施形態を説明するために示す図である。図５を参照するに、ホームネットワーク５３０は、ＴＶ  ５３２、電話機５３４及びオーディオ５３６のようなホームネットワーク機器で構成されているが、このとき、それぞれのホームネットワーク機器５３２，５３４，５３６には、本発明によるホームネットワーク機器の制御装置が搭載されている。
【００４８】
すなわち、図４と異なり、それぞれのホームネットワーク機器５３２，５３４，５３６は、直接ＲＳＳサーバ５２０に接続して制御命令を読み出し、制御命令がそれぞれのホームネットワーク機器自身５３２，５３４，５３６が行う制御命令であるか否かを分析し、選択的に制御命令による動作を行う。
【００４９】
例えば、制御命令が、ＴＶ  ５３２が所定のコンテンツを録画せよというものならば、まずそれぞれのホームネットワーク機器５３２，５３４，５３６が何れもその制御命令を読出し、その読み出された制御命令が自身が行う命令であるか否かを分析し、その制御命令によって動作を行う。前記例では、制御命令がＴＶ  ５３２に関するものであるので、ＴＶ  ５３２は、制御命令によってコンテンツを録画する動作を行うが、電話機５３４及びオーディオ５３６は、何らの動作を行わなくなる。
【００５０】
一方、前述した本発明の実施形態は、コンピュータで実行可能なプログラムで作成可能であり、コンピュータで読み取り可能な記録媒体を利用して、前記プログラムを動作させる汎用デジタルコンピュータで具現される。
【００５１】
前記コンピュータで読み取り可能な記録媒体は、マグネチック保存媒体（例えば、ＲＯＭ、フロッピー（登録商標）ディスク、ハードディスクなど）、光学的判読媒体（例えば、ＣＤ−ＲＯＭ、ＤＶＤなど）及びキャリアウェーブ（例えば、インターネットを通じた伝送）のような保存媒体を含む。
【００５２】
以上、本発明についてその望ましい実施形態を中心に説明した。当業者は、本発明が本発明の本質的な特性から逸脱しない範囲で変形された形態で具現されるということが分かるであろう。したがって、開示された実施形態は、限定的な観点でなく、説明的な観点で考慮されねばならない。本発明の範囲は、前述した説明でなく、特許請求の範囲に現れており、それと同等な範囲内にある全ての差異点は、本発明に含まれていると解釈されねばならない。
【産業上の利用可能性】
【００５３】
本発明は、ホームネットワーク関連の技術分野に適用可能である。
【図面の簡単な説明】
【００５４】
【図１】従来のホームネットワーク機器の制御方法の一実施形態を説明するために示す図である。
【図２】本発明によるホームネットワーク機器の制御装置の一実施形態を示す図である。
【図３】本発明によっての制御命令の一実施形態を示す図である。
【図４】本発明によるホームネットワーク機器の制御方法の一実施形態を説明するために示す図である。
【図５】本発明によるホームネットワーク機器の制御方法の第２実施形態を説明するために示す図である。
【符号の説明】
【００５５】
２１０  命令読出部
２２０  制御部
【図１】
2008305399.tif 000003
【図２】
2008305399.tif 000004
【図３】
2008305399.tif 000005
【図４】
2008305399.tif 000006
【図５】
2008305399.tif 000007